(57)【特許請求の範囲】
【請求項１】
着脱可能な移動通信端末を搭載可能なモバイルルータとの間で通信可能なモバイルルータ情報管理サーバであって、
前記モバイルルータから通知される当該モバイルルータの識別情報と、当該モバイルルータに搭載する移動通信端末の識別情報とを有するモバイルルータ情報をモバイルルータ毎に登録するモバイルルータ登録情報テーブルと、
前記モバイルルータからの通信先となる他のモバイルルータの識別情報を含む問い合わせ情報に応答して、当該他のモバイルルータの識別情報に基づいて、前記モバイルルータ登録情報テーブルから、当該他のモバイルルータに搭載する移動通信端末の識別情報を含むモバイルルータ情報を検索し、検索したモバイルルータ情報を前記モバイルルータに返信する制御手段とを有することを特徴とするモバイルルータ情報管理サーバ。
【請求項２】
請求項１に記載のモバイルルータ情報管理サーバにおいて、
前記モバイルルータの識別情報は、当該モバイルルータのルータ名称と、当該モバイルルータのＬＡＮ側ＩＰアドレスとを有し、
前記移動通信端末の識別情報は、広域ＩＰ網で通信するためのＷＡＮ側ＩＰアドレスと、回線交換網で通信するための電話番号とを含む利用者情報を有し、
前記制御手段は、前記モバイルルータからの通信先となる他のモバイルルータのルータ名称を含む問い合わせ情報に応答して、当該ルータ名称をキーとして、前記モバイルルータ登録情報テーブルから、当該他のモバイルルータに搭載する移動通信端末の識別情報を含むモバイルルータ情報を検索し、検索したモバイルルータ情報を前記モバイルルータに返信することを特徴とするモバイルルータ情報管理サーバ。
【請求項３】
着脱可能な移動通信端末を搭載可能なモバイルルータであって、
自身のモバイルルータ情報として、自身のモバイルルータの識別情報と、自身のモバイルルータに搭載する移動通信端末の識別情報とを関連付けて登録するモバイルルータ情報テーブルと、
前記モバイルルータ情報テーブルに登録した自身のモバイルルータ情報を制御通信によりモバイルルータ情報管理サーバへ登録可能に通知し、通信先となる他のモバイルルータに対して通信する際、前記モバイルルータ情報管理サーバに前記他のモバイルルータの識別情報を含む問い合わせ情報を送信し、当該問い合わせ情報に応答して前記モバイルルータ情報管理サーバから返信されてくるモバイルルータ情報を受信し、当該モバイルルータ情報に含まれる前記他のモバイルルータに搭載する移動通信端末の識別情報に基づき前記他のモバイルルータとの通信を起動する制御手段とを有することを特徴とするモバイルルータ。
【請求項４】
請求項３に記載のモバイルルータにおいて、
前記移動通信端末は、広域ＩＰ網接続用の移動通信端末と、回線交換網接続用の移動通信端末とを有し、
前記自身のモバイルルータの識別情報は、自身のルータ名称と、自身のＬＡＮ側ＩＰアドレスとを有し、
前記自身のモバイルルータに搭載する移動通信端末の識別情報は、前記広域ＩＰ網接続用の移動通信端末のＷＡＮ側ＩＰアドレスと、前記回線交換網接続用の移動通信端末の電話番号とを有する利用者情報を有し、
前記制御手段は、前記他のモバイルルータに対して通信する際、前記モバイルルータ情報管理サーバに前記他のモバイルルータのルータ名称を含む問い合わせ情報を送信することを特徴とするモバイルルータ。
【請求項５】
請求項３又は４に記載のモバイルルータにおいて、
前記モバイルルータ情報管理サーバの識別情報を登録する登録先管理サーバ情報テーブルを更に有し、
前記制御手段は、前記登録先管理サーバ情報テーブルに登録したサーバの識別情報に基づいて、自身のモバイルルータに搭載している移動通信端末の識別情報に変更が発生した場合又は定期更新時に自身の最新のモバイルルータ情報を前記モバイルルータ情報管理サーバへ通知することを特徴とするモバイルルータ。
【請求項６】
請求項３から５のいずれか１項に記載のモバイルルータにおいて、
通信先となる他のモバイルルータのルータ名称と、このルータ名称を含む問い合わせ情報に応答して前記モバイルルータ情報管理サーバから返信されてくる当該他のモバイルルータに搭載する移動通信端末の識別情報を含むモバイルルータ情報を登録する通信先モバイルルータ情報テーブルを更に有し、
前記制御手段は、前記通信先モバイルルータ情報テーブルに登録したモバイルルータ情報に含まれる移動通信端末の識別情報に基づいて前記他のモバイルルータとの通信を起動することを特徴とするモバイルルータ。
【請求項７】
着脱可能な移動通信端末を搭載可能なモバイルルータと、
前記モバイルルータとの間で通信可能なモバイルルータ情報管理サーバとを有し、
前記モバイルルータ情報管理サーバは、
前記モバイルルータから通知される当該モバイルルータの識別情報と、当該モバイルルータに搭載する移動通信端末の識別情報とを有するモバイルルータ情報をモバイルルータ毎に登録するモバイルルータ登録情報テーブルと、
前記モバイルルータからの通信先となる他のモバイルルータの識別情報を含む問い合わせ情報に応答して、当該他のモバイルルータの識別情報に基づいて、前記モバイルルータ登録情報テーブルから、当該他のモバイルルータに搭載する移動通信端末の識別情報を含むモバイルルータ情報を検索し、検索したモバイルルータ情報を前記モバイルルータに返信する制御手段とを有し、
前記モバイルルータは、
自身のモバイルルータ情報として、自身のモバイルルータの識別情報と、自身のモバイルルータに搭載する移動通信端末の識別情報とを関連付けて登録するモバイルルータ情報テーブルと、
前記モバイルルータ情報テーブルに登録した自身のモバイルルータ情報を制御通信により前記モバイルルータ情報管理サーバへ登録可能に通知し、通信先となる他のモバイルルータに対して通信する際、前記モバイルルータ情報管理サーバに前記他のモバイルルータの識別情報を含む問い合わせ情報を送信し、当該問い合わせ情報に応答して前記モバイルルータ情報管理サーバから返信されてくるモバイルルータ情報を受信し、当該モバイルルータ情報に含まれる前記他のモバイルルータに搭載する移動通信端末の識別情報に基づき前記他のモバイルルータとの通信を起動する制御手段とを有することを特徴とするモバイルルータネットワーク。
【請求項８】
着脱可能な移動通信端末を搭載可能なモバイルルータとの間で通信可能なモバイルルータ情報管理サーバの通信方法であって、
前記モバイルルータから通知される当該モバイルルータの識別情報と、当該モバイルルータに搭載する移動通信端末の識別情報とを有するモバイルルータ情報をモバイルルータ毎にモバイルルータ登録情報テーブルに登録し、
前記モバイルルータからの通信先となる他のモバイルルータの識別情報を含む問い合わせ情報に応答して、当該他のモバイルルータの識別情報に基づいて、前記モバイルルータ登録情報テーブルから、当該他のモバイルルータに搭載する移動通信端末の識別情報を含むモバイルルータ情報を検索し、検索したモバイルルータ情報を前記モバイルルータに返信することを特徴とするモバイルルータ情報管理サーバの通信方法。
【請求項９】
着脱可能な移動通信端末を搭載可能なモバイルルータの通信方法であって、
自身のモバイルルータ情報として、自身のモバイルルータの識別情報と、自身のモバイルルータに搭載する移動通信端末の識別情報とを関連付けてモバイルルータ情報テーブルに登録し、
前記モバイルルータ情報テーブルに登録した自身のモバイルルータ情報を制御通信によりモバイルルータ情報管理サーバへ登録可能に通知し、
通信先となる他のモバイルルータに対して通信する際、前記モバイルルータ情報管理サーバに前記他のモバイルルータの識別情報を含む問い合わせ情報を送信し、
当該問い合わせ情報に応答して前記モバイルルータ情報管理サーバから返信されてくるモバイルルータ情報を受信し、
当該モバイルルータ情報に含まれる前記他のモバイルルータに搭載する移動通信端末の識別情報に基づき前記他のモバイルルータとの通信を起動することを特徴とするモバイルルータの通信方法。
【請求項１０】
着脱可能な移動通信端末を搭載可能なモバイルルータと、
前記モバイルルータとの間で通信可能なモバイルルータ情報管理サーバとを有するモバイルルータネットワークの通信方法であって、
前記モバイルルータが、自身のモバイルルータ情報として、自身のモバイルルータの識別情報と、自身のモバイルルータに搭載する移動通信端末の識別情報とを関連付けてモバイルルータ情報テーブルに登録し、登録した自身のモバイルルータ情報を制御通信により前記モバイルルータ情報管理サーバへ登録可能に通知し、
前記モバイルルータ情報管理サーバが、前記モバイルルータから通知される当該モバイルルータの識別情報と、当該モバイルルータに搭載する移動通信端末の識別情報とを有するモバイルルータ情報をモバイルルータ毎にモバイルルータ登録情報テーブルに登録し、
前記モバイルルータが、通信先となる他のモバイルルータに対して通信する際、前記モバイルルータ情報管理サーバに前記他のモバイルルータの識別情報を含む問い合わせ情報を送信し、
前記モバイルルータ情報管理サーバが、前記モバイルルータからの通信先となる他のモバイルルータの識別情報を含む問い合わせ情報に応答して、当該他のモバイルルータの識別情報に基づいて、前記モバイルルータ登録情報テーブルから、当該他のモバイルルータに搭載する移動通信端末の識別情報を含むモバイルルータ情報を検索し、検索したモバイルルータ情報を前記モバイルルータに返信し、
前記モバイルルータが、前記問い合わせ情報に応答して前記モバイルルータ情報管理サーバから返信されてくるモバイルルータ情報を受信し、当該モバイルルータ情報に含まれる前記他のモバイルルータに搭載する移動通信端末の識別情報に基づき前記他のモバイルルータとの通信を起動することを特徴とするモバイルルータネットワークの通信方法。
【発明の詳細な説明】
【技術分野】
【０００１】
本発明は、ネットワーク接続が可能な装置に係り、特にモバイルルータ情報管理サーバ、モバイルルータ、これらを有するモバイルルータネットワーク、及びこれらの通信方法に関する。
【背景技術】
【０００２】
従来のモバイルＩＰ（Internet Protocol）では、各モバイルルータがホームエージェントに対して、「ケアオブアドレス（ＷＡＮ（Wide Area Network）側ＩＰアドレス）」と「ホームアドレス（ＬＡＮ（Local Area Network）側ＩＰアドレス）」を位置情報として登録し、モバイルルータは通信先モバイルルータの「ケアオブアドレス（ＷＡＮ側ＩＰアドレス）」を意識せずにホームエージェントへ送信することで、ホームエージェントは内部で保持している位置情報を参照して通信先モバイルルータへデータ転送を行なう構成となっている。
【０００３】
上記のようなモバイルルータに関連する先行技術としては、以下のものがある。
【０００４】
例えば、特許文献１には、通信内容に応じて通信経路を選択可能とするため、複数の無線モバイルルータのうちの少なくとも１つに、その無線モバイルルータが接続されているネットワークを通じて通信装置と端末との通信を行なうことを許可するか否かを示す経路情報を記憶し、記憶した経路情報に基づき通信装置と端末との通信を確立するか否かの制御を行なう無線モバイルルータが開示されている。
【０００５】
また、特許文献２には、システム同士の隣接間干渉の低減等を図るため、無線モバイルルータが使用するホッピングパターンと他の無線モバイルルータが使用するホッピングパターンとが重複しないように管理する情報管理機構が開示されている。
【０００６】
さらに、特許文献３には、複数の端末を取りまとめて通信可能とするため、無線モバイルルータ配下の端末と、他の無線モバイルルータ配下の端末又はグローバルネットワーク上のホストとが通信する必要がある場合に、無線モバイルルータ配下の端末のＩＰアドレスを用いてアドレスの解決を可能とした通信システムが開示されている。
【先行技術文献】
【特許文献】
【０００７】
【特許文献１】特開２００３−１０１５６５号公報
【特許文献２】特開２００３−０４６５１７号公報
【特許文献３】特開２００３−２８３５４６号公報
【発明の概要】
【発明が解決しようとする課題】
【０００８】
上述したモバイルＩＰでは、各モバイルルータ間でのデータ転送は、ホームエージェントを経由し、ホームエージェントが全てのモバイルルータ間のデータ転送を行なう。このため、モバイルルータの数が多いモバイルルータネットワークの場合、ホームエージェントの通信負荷（処理負荷）が集中する為、通信負荷に耐えうるホームエージェントを使用する必要があり、機器コストや保守コストの増大につながる。
【０００９】
また、ホームエージェントに障害が発生し動作不可となった場合、全モバイルルータ間にて通信不可となる従来のネットワーク構成の課題がある。加えて、データ転送はホームエージェントを経由する為、各モバイルルータとホームエージェントは通信可能な共通ネットワークに接続している必要があり、モバイルルータのみ使用可能なネットワークを利用することができない。
【００１０】
上記の課題は、ホームエージェントを中心としたデータ転送ではなく、各モバイルルータ間にて直接データ転送を行なうことで解決できる。この方式では、ホームエージェントは不要となる為、モバイルルータネットワークの障害リスク分散が可能となる。
【００１１】
また、モバイルルータ間でのみ使用可能なネットワークを利用する場合、通信先モバイルルータに搭載する移動通信端末の識別情報または利用者情報を内部保持することで通信先モバイルルータの移動通信端末を接続することができる為、利用可能ネットワークの拡張が可能となる。
【００１２】
そのためには、従来ホームエージェントが一元管理を行なっていた、データ転送先を判別する為のモバイルルータの識別情報である「ホームアドレス（ＬＡＮ側ＩＰアドレス）」と、データ転送する為の移動通信端末の識別情報である「ケアオブアドレス（ＷＡＮ側ＩＰアドレス）」とを、モバイルルータ側で関連付けて保持しなければならない。
【００１３】
しかし、移動通信端末の「ケアオブアドレス（ＷＡＮ側ＩＰアドレス）」は通信環境によって動的に変わる場合が多く、通信先モバイルルータへの接続開始時に通信先モバイルルータの「ケアオブアドレス（ＷＡＮ側ＩＰアドレス）」が変更された場合、通信先モバイルルータとの接続が確立できないという課題がある。
【００１４】
よって、移動通信端末の「ケアオブアドレス（ＷＡＮ側ＩＰアドレス）」は、通信先モバイルルータを特定するための固定の識別情報とはならない為、接続を開始時には通信先モバイルルータの移動通信端末が取得した現在通信可能な「ケアオブアドレス（ＷＡＮ側ＩＰアドレス）」を保持していなければならず、事前に取得する手段が必要となる。
【００１５】
ここでは、広域ＩＰ網とは異なるネットワークとして回線交換網を例として挙げる。
【００１６】
各モバイルルータが回線交換網経由でのダイヤルアップ接続機能を有する場合、通信先モバイルルータに搭載する移動通信端末の識別情報である電話番号をモバイルルータ側で保持しなければならない。
【００１７】
回線交換網経由での接続では、通信先モバイルルータに搭載されている移動通信端末の電話番号に対してダイヤルアップする為、搭載されている移動通信端末の変更、他のモバイルルータへ通信移動端末の付け替えなどを行なった際には、設定変更（電話番号の変更）無しで本来の通信先モバイルルータと接続を確立できないという課題がある。
【００１８】
また、特定の移動通信端末の識別情報がモバイルルータに対して固定されてしまう為、搭載されている着脱可能な移動通信端末を増設／変更する場合、移動通信端末が持つ電話番号を事前に取得する手段が必要となる。
【００１９】
加えて、複数のモバイルルータと通信を行なう場合、複数のモバイルルータに対して「ホームアドレス（ＬＡＮ側ＩＰアドレス）」、「ケアオブアドレス（ＷＡＮ側ＩＰアドレス）」、「電話番号（回線交換接続用）」などの複数の項目を設定変更しなくてはならず、通信先モバイルルータに搭載する移動通信端末の種別も把握しなくてはならないなど、ユーザーが設定する為の負担が大きいという課題がある。
【００２０】
また、ＩＰ電話サービスなどで使用されているＳＩＰ（Session Initiation Protocol）においては、ＩＰ電話端末の位置情報をＳＩＰサーバで一元管理する仕組みがあるが、管理される情報としてはＳＩＰサーバが通信できるアドレス情報（ＷＡＮ側ＩＰアドレス）であり、ＳＩＰサーバが直接接続することのできない、異なるネットワークによる利用者情報（例えば回線交換接続用の電話番号）、モバイルルータを特定するアドレス情報（ＬＡＮ側ＩＰアドレス）を管理することはできない。
【００２１】
前述した特許文献１−３は、いずれも上記のような課題を考慮したものではない。
【００２２】
本発明の目的は、上記課題を解決し、ホームエージェントを経由しないでモバイルルータ間のデータ転送を可能とし、通信先モバイルルータへの接続開始時にその搭載する移動通信端末が変更された場合でも、通信先モバイルルータとの接続を確立することができるモバイルルータ情報管理サーバ、モバイルルータ、これらを有するモバイルルータネットワーク、及びこれらの通信方法を提供することにある。
【課題を解決するための手段】
【００２３】
本発明の第１の観点によれば、着脱可能な移動通信端末を搭載可能なモバイルルータとの間で通信可能なモバイルルータ情報管理サーバであって、前記モバイルルータから通知される当該モバイルルータの識別情報と、当該モバイルルータに搭載する移動通信端末の識別情報とを有するモバイルルータ情報をモバイルルータ毎に登録するモバイルルータ登録情報テーブルと、前記モバイルルータからの通信先となる他のモバイルルータの識別情報を含む問い合わせ情報に応答して、当該他のモバイルルータの識別情報に基づいて、前記モバイルルータ登録情報テーブルから、当該他のモバイルルータに搭載する移動通信端末の識別情報を含むモバイルルータ情報を検索し、検索したモバイルルータ情報を前記モバイルルータに返信する制御手段とを有することを特徴とするモバイルルータ情報管理サーバが提供される。
【００２４】
本発明の第２の観点によれば、着脱可能な移動通信端末を搭載可能なモバイルルータであって、自身のモバイルルータ情報として、自身のモバイルルータの識別情報と、自身のモバイルルータに搭載する移動通信端末の識別情報とを関連付けて登録するモバイルルータ情報テーブルと、前記モバイルルータ情報テーブルに登録した自身のモバイルルータ情報を制御通信によりモバイルルータ情報管理サーバへ登録可能に通知し、通信先となる他のモバイルルータに対して通信する際、前記モバイルルータ情報管理サーバに前記他のモバイルルータの識別情報を含む問い合わせ情報を送信し、当該問い合わせ情報に応答して前記モバイルルータ情報管理サーバから返信されてくるモバイルルータ情報を受信し、当該モバイルルータ情報に含まれる前記他のモバイルルータに搭載する移動通信端末の識別情報に基づき前記他のモバイルルータとの通信を起動する制御手段とを有することを特徴とするモバイルルータが提供される。
【００２５】
本発明の第３の観点によれば、着脱可能な移動通信端末を搭載可能なモバイルルータと、前記モバイルルータとの間で通信可能なモバイルルータ情報管理サーバとを有し、前記モバイルルータ情報管理サーバは、前記モバイルルータから通知される当該モバイルルータの識別情報と、当該モバイルルータに搭載する移動通信端末の識別情報とを有するモバイルルータ情報をモバイルルータ毎に登録するモバイルルータ登録情報テーブルと、前記モバイルルータからの通信先となる他のモバイルルータの識別情報を含む問い合わせ情報に応答して、当該他のモバイルルータの識別情報に基づいて、前記モバイルルータ登録情報テーブルから、当該他のモバイルルータに搭載する移動通信端末の識別情報を含むモバイルルータ情報を検索し、検索したモバイルルータ情報を前記モバイルルータに返信する制御手段を有し、前記モバイルルータは、自身のモバイルルータ情報として、自身のモバイルルータの識別情報と、自身のモバイルルータに搭載する移動通信端末の識別情報とを関連付けて登録するモバイルルータ情報テーブルと、前記モバイルルータ情報テーブルに登録した自身のモバイルルータ情報を制御通信により前記モバイルルータ情報管理サーバへ登録可能に通知し、通信先となる他のモバイルルータに対して通信する際、前記モバイルルータ情報管理サーバに前記他のモバイルルータの識別情報を含む問い合わせ情報を送信し、当該問い合わせ情報に応答して前記モバイルルータ情報管理サーバから返信されてくるモバイルルータ情報を受信し、当該モバイルルータ情報に含まれる前記他のモバイルルータに搭載する移動通信端末の識別情報に基づき前記他のモバイルルータとの通信を起動する制御手段とを有することを特徴とするモバイルルータネットワークが提供される。
【００２６】
本発明の第４の観点によれば、着脱可能な移動通信端末を搭載可能なモバイルルータとの間で通信可能なモバイルルータ情報管理サーバの通信方法であって、前記モバイルルータから通知される当該モバイルルータの識別情報と、当該モバイルルータに搭載する移動通信端末の識別情報とを有するモバイルルータ情報をモバイルルータ毎にモバイルルータ登録情報テーブルに登録し、前記モバイルルータからの通信先となる他のモバイルルータの識別情報を含む問い合わせ情報に応答して、当該他のモバイルルータの識別情報に基づいて、前記モバイルルータ登録情報テーブルから、当該他のモバイルルータに搭載する移動通信端末の識別情報を含むモバイルルータ情報を検索し、検索したモバイルルータ情報を前記モバイルルータに返信することを特徴とするモバイルルータ情報管理サーバの通信方法が提供される。
【００２７】
本発明の第５の観点によれば、着脱可能な移動通信端末を搭載可能なモバイルルータの通信方法であって、自身のモバイルルータ情報として、自身のモバイルルータの識別情報と、自身のモバイルルータに搭載する移動通信端末の識別情報とを関連付けてモバイルルータ情報テーブルに登録し、前記モバイルルータ情報テーブルに登録した自身のモバイルルータ情報を制御通信によりモバイルルータ情報管理サーバへ登録可能に通知し、通信先となる他のモバイルルータに対して通信する際、前記モバイルルータ情報管理サーバに前記他のモバイルルータの識別情報を含む問い合わせ情報を送信し、当該問い合わせ情報に応答して前記モバイルルータ情報管理サーバから返信されてくるモバイルルータ情報を受信し、当該モバイルルータ情報に含まれる前記他のモバイルルータに搭載する移動通信端末の識別情報に基づき前記他のモバイルルータとの通信を起動することを特徴とするモバイルルータの通信方法が提供される。
【００２８】
本発明の第６の観点によれば、着脱可能な移動通信端末を搭載可能なモバイルルータと、前記モバイルルータとの間で通信可能なモバイルルータ情報管理サーバとを有するモバイルルータネットワークの通信方法であって、前記モバイルルータが、自身のモバイルルータ情報として、自身のモバイルルータの識別情報と、自身のモバイルルータに搭載する移動通信端末の識別情報とを関連付けてモバイルルータ情報テーブルに登録し、登録した自身のモバイルルータ情報を制御通信により前記モバイルルータ情報管理サーバへ登録可能に通知し、前記モバイルルータ情報管理サーバが、前記モバイルルータから通知される当該モバイルルータの識別情報と、当該モバイルルータに搭載する移動通信端末の識別情報とを有するモバイルルータ情報をモバイルルータ毎にモバイルルータ登録情報テーブルに登録し、前記モバイルルータが、通信先となる他のモバイルルータに対して通信する際、前記モバイルルータ情報管理サーバに前記他のモバイルルータの識別情報を含む問い合わせ情報を送信し、前記モバイルルータ情報管理サーバが、前記モバイルルータからの通信先となる他のモバイルルータの識別情報を含む問い合わせ情報に応答して、当該他のモバイルルータの識別情報に基づいて、前記モバイルルータ登録情報テーブルから、当該他のモバイルルータに搭載する移動通信端末の識別情報を含むモバイルルータ情報を検索し、検索したモバイルルータ情報を前記モバイルルータに返信し、前記モバイルルータが、前記問い合わせ情報に応答して前記モバイルルータ情報管理サーバから返信されてくるモバイルルータ情報を受信し、当該モバイルルータ情報に含まれる前記他のモバイルルータに搭載する移動通信端末の識別情報に基づき前記他のモバイルルータとの通信を起動することを特徴とするモバイルルータネットワークの通信方法が提供される。
【発明の効果】
【００２９】
本発明によれば、ホームエージェントを経由しないでモバイルルータ間のデータ転送を可能とし、通信先モバイルルータへの接続開始時にその搭載する移動通信端末が変更された場合でも、通信先モバイルルータとの接続を確立することができる。
【図面の簡単な説明】
【００３０】
【図１】本発明の実施の形態に係るモバイルルータネットワークのネットワーク構成を示すブロック図である。
【図２】（ａ）及び（ｂ）は、図１に示すモバイルルータのモバイルルータ情報テーブルの構成を示す図である。
【図３】図１に示すモバイルルータの登録先管理サーバ情報テーブルの構成を示す図である。
【図４】図１に示す管理サーバのモバイルルータ登録情報テーブルの構成を示す図である。
【図５】（ａ）及び（ｂ）は、図１に示すモバイルルータの通信先モバイルルータ情報テーブルの構成を示す図である。
【図６】図１に示すモバイルルータの内部構成を示す概略ブロック図である。
【図７】図１に示す管理サーバの内部構成を示す概略ブロック図である。
【図８】図１に示すモバイルルータの移動通信端末が使用可のときに、モバイルルータと管理サーバとの間でモバイルルータ情報を新規登録／更新／削除する場合のシーケンスを説明する図である。
【図９】図１に示すモバイルルータの移動通信端末が使用不可のときに、モバイルルータと管理サーバとの間でモバイルルータ情報を新規登録／更新／削除する場合のシーケンスを説明する図である。
【図１０】図１に示すモバイルルータが管理サーバから他のモバイルルータのモバイルルータ情報を取得する場合のシーケンスを説明する図である。
【図１１】図１に示す管理サーバにメッセージ送信するまでのモバイルルータの内部フローを説明する概略フローチャートである。
【図１２】図１に示す管理サーバからメッセージを受信した後のモバイルルータの内部フローを説明する概略フローチャートである。
【図１３】図１に示すモバイルルータからメッセージを受信した後の管理サーバの内部フローを説明する概略フローチャートである。
【図１４】図１に示す管理サーバに登録されている情報の保持期間が満了した場合の管理サーバの内部フローを説明する概略フローチャートである。
【図１５】図８及び図９に示す管理サーバが送信する登録結果に管理サーバ自身のネットワーク情報を付与し、そのネットワーク情報をモバイルルータの登録先管理サーバ情報テーブルへ更新する場合のシーケンスを説明する図である。
【図１６】（ａ）〜（ｃ）は、図８及び図９に示す管理サーバへの登録要求、図１０に示す管理サーバへの問い合わせ要求に対して、認証情報を付与する場合の拡張したモバイルルータ登録情報テーブルの構成を示す図である。
【発明を実施するための形態】
【００３１】
以下、本発明に係るモバイルルータ情報管理サーバ、モバイルルータ、これらを有するモバイルルータネットワーク、及びこれらの通信方法の実施の形態について、図面を参照して詳細に説明する。
【００３２】
本発明の実施の形態は、モバイルルータを特定するための固定の識別情報と、モバイルルータに搭載される着脱可能な移動通信端末における移動通信端末毎の識別情報または利用者情報などの動的に変更される識別情報とを関連付けて一元管理する手段を提供するものである。ここで、モバイルルータに搭載される移動通信端末には、例えば、広域ＩＰ網接続、回線交換網接続等の端末種別の異なるものや、端末種別は同じで利用者情報（例えば、広域ＩＰ網接続で用いるＷＡＮ側ＩＰアドレス（ケアオブアドレス）、回線交換網接続で用いる電話番号等）の異なるもの等が含まれる。
【００３３】
本実施の形態に係るモバイルルータネットワークは、着脱可能な移動通信端末を搭載可能なモバイルルータ（第１及び第２のモバイルルータを含む。）と、このモバイルルータからの制御通信を受信可能なモバイルルータ情報管理サーバとを有する。
【００３４】
各モバイルルータは、自らのモバイルルータの識別情報及び自らのモバイルルータに搭載する移動通信端末の識別情報（利用者情報を含む。）を制御通信によりモバイルルータ情報管理サーバへ登録可能である。
【００３５】
上記構成において、以下の動作を行う。まず、第１のモバイルルータが第２のモバイルルータに対して通信する際、第１のモバイルルータは、モバイルルータ情報管理サーバに第２のモバイルルータの識別情報を含む問い合わせ情報を送信する。この問い合わせ情報に応答して、モバイルルータ情報管理サーバは、登録された第２のモバイルルータに搭載する移動通信端末の識別情報を返信する。このモバイルルータ情報管理サーバからの返信を受信した第１のモバイルルータは、返信に含まれる移動通信端末の識別情報に基づき第２のモバイルルータとの通信を起動する。
【００３６】
ここで、本実施の形態の詳細について、広域ＩＰ網と回線交換網を用いたＩＰ通信を例に挙げて説明する。
【００３７】
図１は、広域ＩＰ網と回線交換網を利用した場合のネットワーク構成図を表したものである。
【００３８】
図１に示す広域ＩＰ網１００と回線交換網１０１とを用いたモバイルルータネットワークは、着脱可能な移動通信端末（図１では、２つの広域ＩＰ網接続用の移動通信端末１２１と、２つの回線交換接続網用の移動通信端末１２２とを例示している。）を搭載可能な複数（図１の例では２つ）のモバイルルータＡ１１１、Ｂ１１２と、各モバイルルータＡ１１１、Ｂ１１２との間で通信可能なモバイルルータ情報管理サーバ（以下、「管理サーバ」と略称する。）１１０とを有している。図１の例では、モバイルルータＡ１１１側のＬＡＮ１０２には、端末Ａ１３０が接続され、モバイルルータＢ１１２側のＬＡＮ１０３には、端末Ｂ１３１が接続されている。
【００３９】
管理サーバ１１０は、通信端末１２０を用いて広域ＩＰ網１００に接続する機能を有している。
【００４０】
各モバイルルータＡ１１１、Ｂ１１２は、着脱可能な広域ＩＰ網接続用の移動通信端末１２１を用いて広域ＩＰ網１００に接続する機能と、着脱可能な回線交換網接続用の移動通信端末１２２を用いて広域ＩＰ網１００とは異なるネットワークである回線交換網１０１に接続する機能とを有している。
【００４１】
各モバイルルータＡ１１１、Ｂ１１２間は、モバイルＩＰを用いて、広域ＩＰ網１００経由、回線交換網１０１経由で接続を確立することができ、モバイルルータＡ１１１側の端末Ａ１３０とモバイルルータＢ１１２側の端末Ｂ１３１との間でローカルＩＰアドレスを用いての通信を行なう機能を有している。
【００４２】
図２（ａ）及び（ｂ）は、各モバイルルータＡ１１１、Ｂ１１２の自身のモバイルルータ情報テーブル２００を表したものである。図２（ａ）はモバイルルータＡ１１１のモバイルルータ情報テーブル２００、図２（ｂ）はモバイルルータＢ１１２のモバイルルータ情報テーブル２００をそれぞれ示す。図２（ａ）及び（ｂ）に示すモバイルルータ情報テーブル２００には、自身のモバイルルータ情報として、自身のモバイルルータを特定するための識別情報１と、自身のモバイルルータに搭載している移動通信端末の識別情報２と、モバイルルータ情報の有効期間とが設定及び保存される。
【００４３】
各モバイルルータＡ１１１、Ｂ１１２は、自身のモバイルルータを特定するための識別情報１として、自身の「ルータ名称」、「ホームアドレス（ＬＡＮ側ＩＰアドレス）」をモバイルルータ情報テーブル２００に設定／保存する機能と、移動通信端末の識別情報２として、広域ＩＰ網接続用の移動通信端末１２１がリンク確立時に取得した「ケアオブアドレス（ＷＡＮ側ＩＰアドレス）」、回線交換網接続用の移動通信端末１２１を搭載時に移動通信端末内部で保持する「電話番号」を自動的に取得し、利用者情報としてモバイルルータ情報テーブル２００に保存する機能とを有している。
【００４４】
図３は、モバイルルータＡ１１１、Ｂ１１２の登録先管理サーバ情報テーブル３００を表したものである。
【００４５】
各モバイルルータＡ１１１、Ｂ１１２は、図３に示す登録先管理サーバ情報テーブル３００を手動で設定／保存する機能と、登録先管理サーバ情報テーブル３００を参照し、広域ＩＰ網１００経由で図２の自らのモバイルルータ情報テーブル２００のモバイルルータ情報を、ＩＰパケットを用いて管理サーバ１１０へ送信する機能と、搭載している移動通信端末の識別情報または利用者情報（識別情報２）の変更が発生した場合や定期更新時に、再度、最新のモバイルルータ情報を管理サーバ１１０へ自動的に送信する機能とを具備する。
【００４６】
図４は、管理サーバ１１０のモバイルルータ登録情報テーブル４００であり、本発明の特徴を表したものである。
【００４７】
管理サーバ１１０は、各モバイルルータＡ１１１、Ｂ１１２からＩＰパケットを用いて通知されたモバイルルータ情報を図４に示すモバイルルータ登録情報テーブル４００として保持する機能と、モバイルルータ情報の「保持期間」を監視する機能と、送信元に対してＩＰパケットを用いて登録結果を送信する機能とを具備する。
【００４８】
図４に示すモバイルルータ登録情報テーブル４００は、モバイルルータを特定するための識別情報１として、「ルータ名称」と管理サーバ１１０が直接通信することのできない「ホームアドレス（ＬＡＮ側ＩＰアドレス）」を保持することができる。
【００４９】
また、このモバイルルータ登録情報テーブル４００は、モバイルルータに搭載され且つ動的に変更される可能性のある移動通信端末の識別情報を識別情報２として、広域ＩＰ網１００で通信するための利用者情報「ケアオブアドレス（ＷＡＮ側ＩＰアドレス）」と、管理サーバ１１０が接続することのできない回線交換網１０１で通信するための利用者情報「電話番号」とを、同一のデータ転送に利用できる通信手段として関連付けて保持する。
【００５０】
これにより、従来の課題として述べている、モバイルルータを特定する「ルータ名称」と、広域ＩＰ網経由で通信が可能となる「ケアオブアドレス（ＷＡＮ側ＩＰアドレス）」とを関連付けて管理することができ、また、モバイルルータを特定する「ルータ名称」と、回線交換網（モバイルルータ間のみ使用可能なネットワーク）経由で接続するために必要な「電話番号」とを関連付けて管理サーバで保持することができる。
【００５１】
つまり、管理サーバ１１０のモバイルルータ登録情報テーブル４００では、モバイルルータを特定する「ルータ名称」をキーとして、管理サーバ１１０が通信できない「ホームアドレス（ＬＡＮ側ＩＰアドレス）」と、モバイルルータが搭載している複数の移動通信端末、管理サーバ１１０が対応していない通信手段である移動通信端末の「電話番号」とを、モバイルルータ毎に同時にデータ転送できる複数の通信手段として一元管理することができる。
【００５２】
また、固定の識別情報１（モバイルルータ）に対して動的に変更される識別情報２（移動通信端末）を関連付けている管理サーバ１１０の情報を更新することで、固有の利用者情報（電話番号）を持つ移動通信端末を他のモバイルルータへ移設した場合でも、管理サーバ１１０はどのモバイルルータ（識別情報１）がどの移動通信端末（識別情報２）を保持しているかを常に把握することができ、モバイルルータ間での移動通信端末の移動性という効果を得ることができる。
【００５３】
図５（ａ）及び（ｂ）は、モバイルルータＡ１１１の通信先モバイルルータ情報テーブル５００を表したものである。図５（ａ）は、モバイルルータ情報登録前の通信先モバイルルータ情報テーブル５００、図５（ｂ）は、モバイルルータ情報登録後の通信先モバイルルータ情報テーブル５００をそれぞれ示す。
【００５４】
モバイルルータＡ１１１は、図５（ａ）の通信先モバイルルータ情報テーブル５００に通信先モバイルルータの「ルータ名称」を手動で設定／保存する機能と、通信先モバイルルータ情報テーブル５００の「ルータ名称」を参照して、広域ＩＰ網１００を経由して管理サーバ１１０へＩＰパケットを用いて「ルータ名称」をキーとして問い合わせを行なう機能とを具備する。
【００５５】
管理サーバ１１０は、モバイルルータＡ１１１からＩＰパケットを用いて問い合わせされたモバイルルータを特定するための識別情報である「ルータ名称」をキーとして、内部で保持している図４のモバイルルータ登録情報テーブル４００を検索する機能と、送信元に対してＩＰパケットを用いて該当するモバイルルータ情報を送信する機能とを具備する。
【００５６】
モバイルルータＡ１１１は、管理サーバ１１０からＩＰパケットで通知されたモバイルルータＢ１１２のモバイルルータ情報を図５（ｂ）の通信先モバイルルータ情報テーブル５００として保存する機能を具備する。
【００５７】
これにより、通信先モバイルルータのモバイルルータ情報を取得することで、通信先モバイルルータに搭載されている移動通信端末、そして、移動通信端末毎の利用者情報を保持することができ、モバイルルータ間でデータ転送を行なう場合、自身と通信先モバイルルータで接続可能な共通ネットワークを経由して通信することが可能となる。
【００５８】
この例では、各モバイルルータＡ１１１、Ｂ１１２が移動通信端末の種別として、広域ＩＰ網１００と回線交換網１０１の２種類が利用可能である通信手段となり、広域ＩＰ網１００の場合には広域ＩＰ網接続用の利用者情報「ケアオブアドレス（ＷＡＮ側ＩＰアドレス）」、回線交換網１０１の場合には回線交換網接続用の利用者情報「電話番号」が通信先モバイルルータとして特定できるため、データを送信する際に両方のネットワークを経由して通信することができる。
【００５９】
このように、管理サーバ１１０が利用できない通信手段でも、モバイルルータ間でのみ利用できる通信手段に対して移動通信端末毎の利用者情報を共有化することで、管理サーバの通信手段に制限されず、各モバイルルータＡ１１１、Ｂ１１２間でのデータ送信に利用される通信手段を１つの種別だけでなく、複数の通信手段を用いて利用することが可能となる。
【００６０】
本実施の形態では、モバイルルータを特定するための識別情報と、動的に変更される複数の異なる移動通信端末の識別情報とを、管理サーバ１１０が関連付けて保持し更新することで、動的に変更された移動通信端末の利用者情報でもモバイルルータを特定する識別情報を用いて全モバイルルータで共有することができる。
【００６１】
図６は、図１に示すモバイルルータＡ１１１、Ｂ１１２の内部構成を表したものである。
【００６２】
図６に示す各モバイルルータＡ１１１、Ｂ１１２は、デバイス制御部６１０、ＴＣＰ／ＩＰ６２０、データ制御部６３０、パケット解析部６３１、パケット生成部６３２、データ記憶部６４０、設定部６５０、タイマ部６６０、クライアント制御部６７０、及びモバイルＩＰ制御部６８０を有する。このうち、主に、デバイス制御部６１０及びクライアント制御部６７０が、本発明に係るモバイルルータの制御手段の要部を構成している。
【００６３】
データ記憶部６４０は、自身のモバイルルータ情報を管理するためのモバイルルータ情報テーブル２００（図２参照）と、管理サーバ１１０と通信を行なうための登録先管理サーバ情報テーブル３００（図３参照）と、通信先モバイルルータのモバイルルータ情報を管理するための通信先モバイルルータ情報テーブル５００（図５参照）とで構成される。
【００６４】
設定部６５０は、ユーザーインタフェースであり、ユーザーがデータ記憶部６４０に格納されている各情報テーブル２００、を変更する機能を有するモジュールである。
【００６５】
デバイス制御部６１０は、移動通信端末６１１を広域ＩＰ網６００に対して自動的に接続を開始する機能と、リンクの確立／切断を検出する機能と、リンク確立時に取得したＩＰアドレスをデータ記憶部６４０の自身のモバイルルータ情報テーブル２００へ「ケアオブアドレス（ＷＡＮ側ＩＰアドレス）」として保存する機能とを有するモジュールである。
【００６６】
また、デバイス制御部６１０は、回線交換用の移動通信端末６１２搭載時に移動通信端末内部で保持する自身の「電話番号」をデータ記憶部６４０の自身のモバイルルータ情報テーブル２００へ「電話番号」として保存する機能と、回線交換用の移動通信端末６１２を用いて電話番号を指定して発信／切断を開始する機能とを有するモジュールである。
【００６７】
データ制御部６３０は、受信したデータの振り分けを行なう機能を有するモジュールである。
【００６８】
パケット解析部６３１は、広域ＩＰ網６００あるいは回線交換網６０１から受信したＩＰパケットの解析を行なう機能を有するモジュールである。
【００６９】
パケット生成部６３２は、送信するＩＰパケットを生成する機能を有するモジュールである。
【００７０】
タイマ部６６０は、管理サーバ１１０へ自ネットワーク情報を定期更新するための時間管理を行なう機能と、図２の自身のモバイルルータ情報テーブル２００に設定されている「有効期間」が更新する前にクライアント制御部６７０へ通知する機能とを有するモジュールである。
【００７１】
クライアント制御部６７０は、データ記憶部６４０に格納されている自身のモバイルルータ情報テーブル２００の全ての情報を管理サーバ１１０へ登録要求（登録要求メッセージ）を送信する機能と、通信先モバイルルータ情報テーブル５００の「ルータ名称」に対して管理サーバ１１０へ問い合わせ要求（問い合わせ要求メッセージ）を送信する機能と、管理サーバ１００から受信した問い合わせ結果を通信先モバイルルータ情報テーブル５０１として保存できる機能と、モバイルＩＰ制御部６８０へ接続先情報取得通知を送信する機能とを有するモジュールである。
【００７２】
上記の登録要求メッセージには、図２で示す自身のモバイルルータ情報テーブル２００の内容が全て含まれている。また、上記の問い合わせ要求メッセージには図５で示す通信先モバイルルータ情報テーブル５００の「ルータ名称」が含まれる。
【００７３】
上記のモジュール群を用いることで、管理サーバ１１０への最新のモバイルルータ情報登録、「ルータ名称」を指定して問い合わせをし、該当する「ルータ名称」の最新のモバイルルータ情報を取得することができる。
【００７４】
図７は、図１で示す管理サーバ１１０の内部構成を表したものである。
【００７５】
図７に示す管理サーバ１１０は、デバイス制御部７１０、ＴＣＰ／ＩＰ７２０、パケット解析部７３０、パケット生成部７３１、データ記憶部７４０、タイマ部７５０、サーバ制御部７６０、及びモバイルＩＰ制御部６８０を有する。このうち、主に、デバイス制御部７１０及びサーバ制御部７６０が、本発明に係るモバイルルータ情報管理サーバの制御手段の要部を構成している。
【００７６】
データ記憶部７５０は、各モバイルルータが通知してきたモバイルルータ情報を管理するためのモバイルルータ登録情報テーブル４００（図４参照）で構成される。
【００７７】
デバイス制御部７１０は、通信端末７１１を広域ＩＰ網７００に対して自動的に接続を開始する機能を有するモジュールである。
【００７８】
パケット解析部７３０は、広域ＩＰ網７００から受信したＩＰパケットの解析を行なう機能を有するモジュールである。
【００７９】
パケット生成部７３１は、送信するＩＰパケットを生成する機能を有するモジュールである。
【００８０】
タイマ部７５０は、各モバイルルータＡ１１１、Ｂ１１２からのモバイルルータ情報の「保持期間」を監視するための時間管理を行なう機能と、図４のモバイルルータ登録情報テーブル４００に設定されている保持期間満了時にサーバ制御部７６０へ通知する機能とを有するモジュールである。
【００８１】
サーバ制御部７６０は、各モバイルルータＡ１１１、Ｂ１１２から通知されたモバイルルータ情報をモバイルルータ登録情報テーブル４００へ保存する機能と、モバイルルータ情報として通知された有効期間に対してタイマを開始する機能と、送信元に対して登録結果を送信する機能と、各モバイルルータＡ１１１、Ｂ１１２からの問い合わせに対して、「ルータ名称」をキーとして内部で保持しているモバイルルータ登録情報テーブル４００から該当するモバイルルータ情報を検索する機能と、検索した結果（問い合わせ結果メッセージ）を送信元に対してモバイルルータ情報を通知する機能と、モバイルルータ登録情報テーブル４００の保持期間内でネットワーク情報の定期更新がなかった場合には、該当するモバイルルータ情報を削除する機能とを有するモジュールである。
【００８２】
上記の問い合わせ結果メッセージには、図４で示すモバイルルータ登録情報テーブル４００の該当する「ルータ名称」に対する内容が全て含まれている。
【００８３】
上記のモジュール群を用いることで、各モバイルルータＡ１１１、Ｂ１１２のモバイルルータを特定するための識別情報と、同時にデータ転送できる複数の異なる通信手段・接続アカウントの識別情報を、モバイルルータを特定するための識別情報毎に一元管理することができる。
【００８４】
次に、本実施の形態の動作について説明する。
【００８５】
図８、図９は、モバイルルータＡ１１１と管理サーバ１１０とのモバイルルータ情報の新規登録／更新／削除のシーケンスを示したものである。
【００８６】
図８に示すように、移動通信端末１の識別情報が取得できた場合、モバイルルータＡ１１１は、管理サーバ１１０へ移動通信端末１の情報を登録要求として送信する（ステップＳ８０１）。この登録要求メッセージには、図２で示す自身のモバイルルータ情報テーブル２００の情報が全て含まれている。
【００８７】
管理サーバ１１０は、モバイルルータＡ１１１のモバイルルータを特定するための識別情報と、モバイルルータが利用可能となった移動通信端末１の識別情報を保持し、通知された有効期間を保持期間として、タイマ開始後、モバイルルータＡ１１１へ登録結果を送信する（ステップＳ８０２）。
【００８８】
一方、移動通信端末２の識別情報が取得できた場合、モバイルルータＡ１１１は、管理サーバ１１０へ移動通信端末１と２の情報を登録要求として送信する（ステップＳ８０３）。
【００８９】
管理サーバ１１０は、モバイルルータＡ１１１のモバイルルータを特定するための識別情報と、モバイルルータが利用可能となって移動通信端末１と２の識別情報を保持し、通知された有効期間を保持期間として、タイマ開始後、モバイルルータＡ１１１へ登録結果を送信する（ステップＳ８０４）。
【００９０】
有効期間が満了する前に、モバイルルータＡ１１１は、管理サーバ１１０へ移動通信端末１と２の識別情報（前回送信時と同じ情報）を登録要求として送信する（ステップＳ８０５）。
【００９１】
管理サーバ１１０は、モバイルルータＡ１１１のモバイルルータを特定するための識別情報と、モバイルルータが利用可能となって移動通信端末１と２の識別情報を保持し、通知された有効期間を保持期間として、タイマ開始後、モバイルルータＡ１１１へ登録結果を送信する（ステップＳ８０６）。
【００９２】
図９に示すように、移動通信端末２が使用不可となった場合、モバイルルータＡ１１１は、移動通信端末１のみ情報を登録要求として送信する（ステップＳ８０７）。
【００９３】
管理サーバ１１０は、モバイルルータＡ１１１のモバイルルータを特定するための識別情報と、モバイルルータが現在利用可能である移動通信端末１の識別情報を保持（移動通信端末２の識別情報は削除）し、通知された有効期間を保持期間として、タイマ開始後、モバイルルータＡ１１１へ登録結果を送信する（ステップＳ８０８）。
【００９４】
更に、移動通信端末１が使用不可となった場合、モバイルルータＡ１１１は、管理サーバ１１０へ登録要求を送信できる移動通信端末が存在しないため、管理サーバ１１０へは登録要求を送信することができない（ステップＳ８０９）。
【００９５】
その結果、管理サーバ１１０は、モバイルルータＡ１１１からの定期的に更新される登録要求を受信できないため、保持期間タイマが満了し、モバイルルータＡ１１１のモバイルルータを特定するための識別情報も含めてモバイルルータ情報を全て削除する（ステップＳ８１０）。
【００９６】
上記のシーケンスに対応することで、管理サーバ１１０は、常に接続可能な最新の移動通信端末情報を、モバイルルータを特定するための識別情報である「ルータ名称」をキーとしてモバイルルータ毎に管理することが可能となる。
【００９７】
図１０は、モバイルルータＡ１１１が管理サーバ１１０へモバイルルータＢ１１２のモバイルルータ情報取得シーケンスを示したものである。ここで、モバイルルータＡ１１１とモバイルルータＢ１１２は、図８で示すモバイルルータ情報の登録が完了しているものとする。
【００９８】
図１０に示すように、モバイルルータＡ１１１がモバイルルータＢ１１２への接続を開始するためには、モバイルルータＢ１１２のモバイルルータを特定するための識別情報である「ルータ名称」をキーとして管理サーバ１１０へ問い合わせ要求を送信する（ステップＳ９０１）。
【００９９】
上記の問い合わせ要求メッセージには、図５で示す通信先モバイルルータ情報テーブル５００の「ルータ名称」が含まれている。
【０１００】
上記の問い合わせ要求に応答して、管理サーバ１１０は、図４で示すモバイルルータ登録情報テーブル４００から、「ルータ名称」をキーとしてモバイルルータ情報の検索を行ない（ステップＳ９０２）、検索した結果を取得し（ステップＳ９０３）、送信元に対して問い合わせ結果を送信する（ステップＳ９０４）。
【０１０１】
上記の問い合わせ結果メッセージには、図４で示すモバイルルータ登録情報テーブル４００の該当する「ルータ名称」に関連付けられた、同時にデータ転送できる複数の移動通信端末の識別情報が全て含まれている。
【０１０２】
モバイルルータＡ１１１は、問い合わせ結果を保存する（ステップＳ９０５）。これにより、移動通信端末の識別情報が含まれていた場合、図５で示す通信先モバイルルータ情報テーブル５０１として保存し、モバイルルータＢ１１２との通信を行なうための移動通信端末情報が取得できた為、お互いに通信できる複数の異なる移動通信端末を用いてモバイルルータＢ１１２とのモバイルＩＰ接続を開始することができる（ステップＳ９０６）。
【０１０３】
上記のシーケンスに対応することで、モバイルルータＡ１１１は、モバイルルータＢ１１２とモバイルＩＰ接続するための最新のモバイルルータ情報をリアルタイムに取得することが可能となる。
【０１０４】
図１１は、各モバイルルータＡ１１１、Ｂ１１２が管理サーバ１１０へメッセージ送信するまでの内部フローを表したものである。
【０１０５】
図１１に示すように、各モバイルルータＡ１１１、Ｂ１１２は、移動通信端末が変更された場合（ステップＳ１００１）、移動通信端末の識別情報を図２の自身のモバイルルータ情報テーブル２００へ保存し（ステップＳ１００４）、保存されている全ての情報を登録要求メッセージとして作成する（ステップＳ１００７）。
【０１０６】
また、有効期間のタイマが満了した場合（ステップＳ１００２）は、図２の自身のモバイルルータ情報テーブル２００に保存されている情報を参照し（ステップＳ１００５）、保存されている全ての情報を登録要求メッセージとして作成する（ステップＳ１００７）。
【０１０７】
更に、モバイルＩＰ接続を開始する場合、まずは管理サーバ１１０への問い合わせを行なう（ステップＳ１００３）。このため、図５の通信先モバイルルータ情報テーブル５００を参照し（ステップＳ１００６）、識別情報１の「ホームアドレス（ＬＡＮ側ＩＰアドレス）」ならびに識別情報２の「端末種別」、「利用者情報」が保存されていない「ルータ名称」に対しての問い合わせ要求メッセージを作成する（ステップＳ１００８）。
【０１０８】
次いで、移動通信端末１２１を用いて管理サーバ１１０へ登録要求メッセージ又は問い合わせ要求メッセージを送信する場合、図３の登録先管理サーバ情報テーブル３００の「利用者情報」を参照して（ステップＳ１００９）、管理サーバ１１０へ広域ＩＰ網１００を経由して登録要求メッセージ又は問い合わせ要求メッセージをＩＰパケットとして送信する（ステップＳ１０１０）。
【０１０９】
図１２は、各モバイルルータＡ１１１、Ｂ１１２が管理サーバ１１０からのメッセージ受信後の内部フローを表したものである。
【０１１０】
図１２に示すように、各モバイルルータＡ１１１、Ｂ１１２は、管理サーバ１１０からＩＰパケットとして受信したメッセージ種別を参照し、登録結果か問い合わせ結果かを判別する（ステップＳ１１０１）。
【０１１１】
その結果、受信したメッセージが登録結果の場合（ステップＳ１１０１：登録結果）、その登録結果が成功か失敗かを判別し（ステップＳ１１０３）、成功の場合（ステップＳ１１０３：ＹＥＳ）は、定期更新用の有効期間タイマを開始し（ステップＳ１１０２）、失敗の場合（ステップＳ１１０３：ＮＯ）は、管理サーバ１１０への登録不可としてそのまま終了する。
【０１１２】
一方、受信したメッセージが問い合わせ結果の場合（ステップＳ１１０１：問い合わせ結果）、各モバイルルータＡ１１１、Ｂ１１２は、該当するモバイルルータの移動通信端末の識別情報が取得できたか否かを判別する（ステップＳ１１０６）。
【０１１３】
その結果、該当するモバイルルータの移動通信端末の識別情報が取得できた場合（ステップＳ１１０６：ＹＥＳ）は、取得した結果を図５（ａ）及び（ｂ）の通信先モバイルルータ情報テーブル５００として保存し（ステップＳ１１０４）、このモバイルルータ情報を用いて該当するモバイルルータへの接続を開始する（ステップＳ１１０５）。
【０１１４】
また、該当するモバイルルータの移動通信端末の識別情報が取得できなかった場合（ステップＳ１１０６：ＮＯ）は、接続を試みるモバイルルータが通信不可の状態と判断できるため、そのまま処理を終了する。
【０１１５】
図１３は、管理サーバ１１０が各モバイルルータＡ１１１、Ｂ１１２からのメッセージ受信後の内部フローを表したものである。
【０１１６】
図１３に示すように、管理サーバ１１０は、各モバイルルータＡ１１１、Ｂ１１２からＩＰパケットとして受信したメッセージ種別を参照し、登録要求か問い合わせ要求かを判別する（ステップＳ１２０１）。
【０１１７】
その結果、受信したメッセージが登録要求の場合（ステップＳ１２０１：登録要求）は、「ルータ名称」をキーとして、図４のモバイルルータ登録情報テーブル４００へ通知された情報を保存し（Ｓ１２０２）、通知された有効期間を「保持期間」として、タイマを開始後、登録結果メッセージを作成する（ステップＳ１２０４）。
【０１１８】
一方、受信したメッセージが問い合わせ要求の場合（ステップＳ１２０１：問い合わせ要求）は、「ルータ名称」をキーとして、図４のモバイルルータ登録情報テーブル４００を検索し（ステップＳ１２０５）、該当するモバイルルータ情報が存在するか否かを判別する（ステップＳ１２０７）。
【０１１９】
その結果、該当するモバイルルータ情報が存在した場合（ステップＳ１２０７：ＹＥＳ）には、該当する情報を全て取得して（Ｓ１２０６）、問い合わせ結果メッセージを作成する（ステップＳ１２０８）。つまり、この場合は、問い合わせ対象となったモバイルルータが通信できる状態にあることを意味する。
【０１２０】
一方、該当するモバイルルータ情報が存在しなかった場合（ステップＳ１２０７：ＮＯ）は、「ルータ名称」のみを付与して問い合わせ結果メッセージを作成する（ステップＳ１２０８）。つまり、この場合は問い合わせ対象となったモバイルルータが通信できない状態（例えば、電源ＯＦＦなど）にあることを意味する。
【０１２１】
次いで、ステップＳ１２０４で作成された登録結果メッセージ又はステップＳ１２０８作成された問い合わせ結果メッセージを送信元に対して、ＩＰパケットとして送信する（ステップＳ１２０９）。
【０１２２】
図１４は、管理サーバ１１０に登録されている情報の保持期間が満了した場合の内部フローを表したものである。
【０１２３】
図１４に示すように、管理サーバ１１０は、該当する登録情報に対して保持期間が満了した場合は、図４のモバイルルータ登録情報テーブル４００に対して該当する情報を全て削除する（ステップＳ１３０１）。つまり、この場合は今まで通信可能となっていたモバイルルータが通信できない状態（例えば、電源ＯＦＦ状態、基地局（非図示）の電波が受信できない状態（圏外）など）になったことを意味する。
【０１２４】
以上説明したように本実施の形態によって、ホームエージェントが不要となる為、ホームエージェント障害発生時による全てのモバイルルータ間にて通信ができなくなるという従来のネットワーク構成の課題を解決することができる。
【０１２５】
また、本実施の形態によれば、管理サーバがモバイルルータ毎の同時にデータ転送できる複数の異なる移動通信端末の情報を一元管理することができ、通信先のモバイルルータに対する設定として「ルータ名称」のみを指定するだけで、通信先モバイルルータの現在通信可能な移動通信端末の情報をリアルタイムで取得することができる。
【０１２６】
よって、着脱可能な移動通信端末を他のモバイルルータへ移設した場合、新規に移動通信端末を追加した場合、移動通信端末の利用者情報が変更された場合でも、通信先モバイルルータのモバイルルータ情報をモバイルルータが動的に取得することで事前に他の手段で取得する必要がなくなる。
【０１２７】
その結果、複雑なＩＰアドレスなどを設定する必要がなくなる為、接続先設定を簡単にすることができユーザーへの設定負担を軽減できるという効果がある。
【０１２８】
また、モバイルルータ間でのみ使用可能なネットワークについても、管理サーバ自身が接続できない通信手段の情報も一元管理できる為、モバイルルータ間で接続することのできるネットワークの拡張性を持たせることが可能となる。
【０１２９】
なお、図１０では管理サーバ１１０への問い合わせ要求として「ルータ名称」を１つのみ指定しているが、本発明はこれに限定されず、例えば、複数の「ルータ名称」を指定して１つのＩＰパケットとして送信してもよく、管理サーバ１１０からの問い合わせ結果についても複数のネットワーク情報を１つのパケットとして送信してもよい。
【０１３０】
また、図１０で示す問い合わせ要求において、「ルータ名称」を指定するだけではなく、「ホームアドレス（ＬＡＮ側ＩＰアドレス）」（複数可）で問い合わせる手段を具備させてもよい。「ホームアドレス（ＬＡＮ側ＩＰアドレス）」も、また、モバイルルータを特定するための識別情報であるためである。
【０１３１】
例えば、図１に示す端末Ａ１３０が端末Ｂ１３１との通信を開始（パケット送信）するタイミングで、モバイルルータＡ１１１は、端末Ａ１３０から送信されるＩＰパケットの宛先を参照し、管理サーバ１１０へ「ホームアドレス（ＬＡＮ側ＩＰアドレス）」を用いて問い合わせを行なう。
【０１３２】
これにより、モバイルルータＡ１１１は、モバイルルータＢ１１２に対してオンデマンド接続を行なうことも可能である。
【０１３３】
更に本実施の形態において、図８及び図９に示す管理サーバ１１０が送信する登録結果に管理サーバ自身のネットワーク情報を付与する手段と、各モバイルルータＡ１１１、Ｂ１１２は取得した管理サーバ１１０のネットワーク情報を、図３の登録先管理サーバ情報テーブル３００へ更新できる手段とを具備させてもよい。
【０１３４】
例えば、図１５において、各モバイルルータから定期的に送信される登録要求（ステップＳ１４０１）に対して、管理サーバＡからの登録結果（ステップＳ１４０２）に管理サーバ自身のネットワーク情報を付与する。こうすることで、各モバイルルータは、図３の登録先管理サーバ情報テーブル３００を自動更新することができ（ステップＳ１４０３）、その結果、管理サーバＡのネットワーク情報が変更された場合でも各モバイルルータの設定変更が不要となる。
【０１３５】
また、各モバイルルータから定期的に送信される登録要求（ステップＳ１４０４）に対する管理サーバＡからの登録結果（ステップＳ１４０５）に付与する管理サーバのネットワーク情報として、管理サーバＡとは別の管理サーバＢのネットワーク情報を付与し、保持期間を短く（例えば１８０秒から６０秒）する。こうすることで、各モバイルルータは、図３の登録先管理サーバ情報テーブル３００を自動更新して（ステップＳ１４０６）、短時間で自動的に管理サーバＡから管理サーバＢへ切り替えることができ、管理サーバＢに最新のネットワーク情報を登録することができる（ステップＳ１４０７、Ｓ１４０８）。
【０１３６】
これにより、各モバイルルータＡ１１１、Ｂ１１２の設定を変更することなく自動的に管理サーバＡから管理サーバＢへ切り替えることで、管理サーバＡの定期メンテナンスや修理、バージョンアップなどを運用中でも行なうことができる。
【０１３７】
また、図１では、管理サーバ１１０を専用装置として説明しているが、本実施の形態では、モバイルルータに管理サーバ１１０の機能を具備させてもよい。
【０１３８】
これにより、同一のハードウェアで管理サーバ機能を動作させ、且つ、モバイルＩＰ接続できるようにすることで、設置するハードウェアの数を減らすことができ、通信インタフェースを有効利用することができる。
【０１３９】
更に本実施の形態において、図８、図９で示す管理サーバ１１０への登録要求、図１０で示す管理サーバへの問い合わせ要求に対して、認証情報を付与する手段を具備させてもよい。
【０１４０】
また、この認証情報を用いて、各モバイルルータＡ１１１、Ｂ１１２と管理サーバ１１０との間で送受信されるＩＰパケットを暗号化する手段を具備させてもよい。
【０１４１】
例えば、図１６（ａ）〜（ｃ）に示すように、認証情報テーブル１５００（図１６（ａ）参照）を用いてユーザー毎に認証情報を定義し、関連付けテーブル１５０１（図１６（ｂ）参照）を用いてグループＩＤ毎にグループ化させる認証ＩＤの関連付けを行ない、また、図４で示すモバイルルータ登録情報テーブル４００を拡張した拡張モバイルルータ登録情報テーブル１５０２（図１６（ｃ）参照）を用いてモバイルルータ（識別情報１）毎にグループＩＤの関連付けを行なう。
【０１４２】
これにより、１つの管理サーバ１１０内で認証情報を用いてグループ分けを行ない、問い合わせに対して同じグループ内のネットワーク情報のみを制限して通知することができ、また、不正なアクセスを制限することができる。その結果、１つの管理サーバ（ハードウェア）の運用で、複数の企業などに対してサービスを提供することができる。
【０１４３】
また、認証情報を用いることで使用するユーザーを特定できるため、モバイルルータに対して設定ダウンロードできる手段を具備させてもよい。
【０１４４】
これにより、管理サーバ１１０で各ユーザーのモバイルルータ設定情報を保持しておき、認証情報を参照して該当する設定情報をモバイルルータへダウンロードさせることで、モバイルルータは使用するユーザー（認証情報）に従って設定情報を入手することができる。その結果、同じハードウェアでも認証情報毎に動的にモバイルルータの設定を変更できるため、モバイルルータのレンタルサービスなどを提供することが可能となる。
【０１４５】
加えて、管理サーバ１１０内にモバイルルータ毎あるいは認証情報毎の連続登録時間を管理する手段を具備させてもよい。
【０１４６】
これにより、管理サーバ１１０の利用時間を定期間毎に集計することでサービス提供側としての従量課金制を実現することができ、また、認証情報を用いてユーザー毎に連続利用時間などを制限することができる。
【０１４７】
なお、上記のモバイルルータ情報管理サーバ及びモバイルルータは、ハードウェア、ソフトウェア又はこれらの組合せにより実現することができる。この場合のハードウェア、ソフトウェア構成は特に限定されるものではなく、上述した機能を実現可能なものであれば、いずれの形態でも適用可能である。
【０１４８】
上記の実施形態の一部又は全部は、以下の付記のようにも記載されうるが、以下には限定されない。
【０１４９】
（付記１）着脱可能な移動通信端末を搭載可能なモバイルルータとの間で通信可能なモバイルルータ情報管理サーバであって、前記モバイルルータから通知される当該モバイルルータの識別情報と、当該モバイルルータに搭載する移動通信端末の識別情報とを有するモバイルルータ情報をモバイルルータ毎に登録するモバイルルータ登録情報テーブルと、前記モバイルルータからの通信先となる他のモバイルルータの識別情報を含む問い合わせ情報に応答して、当該他のモバイルルータの識別情報に基づいて、前記モバイルルータ登録情報テーブルから、当該他のモバイルルータに搭載する移動通信端末の識別情報を含むモバイルルータ情報を検索し、検索したモバイルルータ情報を前記モバイルルータに返信する制御手段とを有することを特徴とするモバイルルータ情報管理サーバ。
【０１５０】
（付記２）付記１に記載のモバイルルータ情報管理サーバにおいて、前記モバイルルータの識別情報は、当該モバイルルータのルータ名称と、当該モバイルルータのＬＡＮ側ＩＰアドレスとを有し、前記移動通信端末の識別情報は、広域ＩＰ網で通信するためのＷＡＮ側ＩＰアドレスと、回線交換網で通信するための電話番号とを含む利用者情報を有し、前記制御手段は、前記モバイルルータからの通信先となる他のモバイルルータのルータ名称を含む問い合わせ情報に応答して、当該ルータ名称をキーとして、前記モバイルルータ登録情報テーブルから、当該他のモバイルルータに搭載する移動通信端末の識別情報を含むモバイルルータ情報を検索し、検索したモバイルルータ情報を前記モバイルルータに返信することを特徴とするモバイルルータ情報管理サーバ。
【０１５１】
（付記３）着脱可能な移動通信端末を搭載可能なモバイルルータであって、自身のモバイルルータ情報として、自身のモバイルルータの識別情報と、自身のモバイルルータに搭載する移動通信端末の識別情報とを関連付けて登録するモバイルルータ情報テーブルと、前記モバイルルータ情報テーブルに登録した自身のモバイルルータ情報を制御通信によりモバイルルータ情報管理サーバへ登録可能に通知し、通信先となる他のモバイルルータに対して通信する際、前記モバイルルータ情報管理サーバに前記他のモバイルルータの識別情報を含む問い合わせ情報を送信し、当該問い合わせ情報に応答して前記モバイルルータ情報管理サーバから返信されてくるモバイルルータ情報を受信し、当該モバイルルータ情報に含まれる前記他のモバイルルータに搭載する移動通信端末の識別情報に基づき前記他のモバイルルータとの通信を起動する制御手段とを有することを特徴とするモバイルルータ。
【０１５２】
（付記４）付記３に記載のモバイルルータにおいて、前記移動通信端末は、広域ＩＰ網接続用の移動通信端末と、回線交換網接続用の移動通信端末とを有し、前記自身のモバイルルータの識別情報は、自身のルータ名称と、自身のＬＡＮ側ＩＰアドレスとを有し、前記自身のモバイルルータに搭載する移動通信端末の識別情報は、前記広域ＩＰ網接続用の移動通信端末のＷＡＮ側ＩＰアドレスと、前記回線交換網接続用の移動通信端末の電話番号とを有し、前記制御手段は、前記他のモバイルルータに対して通信する際、前記モバイルルータ情報管理サーバに前記他のモバイルルータのルータ名称を含む問い合わせ情報を送信することを特徴とするモバイルルータ。
【０１５３】
（付記５）付記３又は４に記載のモバイルルータにおいて、前記モバイルルータ情報管理サーバの識別情報を登録する登録先管理サーバ情報テーブルを更に有し、前記制御手段は、前記登録先管理サーバ情報テーブルに登録したサーバの識別情報に基づいて、自身のモバイルルータに搭載している移動通信端末の識別情報に変更が発生した場合又は定期更新時に自身の最新のモバイルルータ情報を前記モバイルルータ情報管理サーバへ通知することを特徴とするモバイルルータ。
【０１５４】
（付記６）付記３から５のいずれか１項に記載のモバイルルータにおいて、通信先となる他のモバイルルータのルータ名称と、このルータ名称を含む問い合わせ情報に応答して前記モバイルルータ情報管理サーバから返信されてくる当該他のモバイルルータに搭載する移動通信端末の識別情報を含むモバイルルータ情報を登録する通信先モバイルルータ情報テーブルを更に有し、前記制御手段は、前記通信先モバイルルータ情報テーブルに登録したモバイルルータ情報に含まれる移動通信端末の識別情報に基づいて前記他のモバイルルータとの通信を起動することを特徴とするモバイルルータ。
【０１５５】
（付記７）着脱可能な移動通信端末を搭載可能なモバイルルータと、前記モバイルルータとの間で通信可能なモバイルルータ情報管理サーバとを有し、前記モバイルルータ情報管理サーバは、前記モバイルルータから通知される当該モバイルルータの識別情報と、当該モバイルルータに搭載する移動通信端末の識別情報とを有するモバイルルータ情報をモバイルルータ毎に登録するモバイルルータ登録情報テーブルと、前記モバイルルータからの通信先となる他のモバイルルータの識別情報を含む問い合わせ情報に応答して、当該他のモバイルルータの識別情報に基づいて、前記モバイルルータ登録情報テーブルから、当該他のモバイルルータに搭載する移動通信端末の識別情報を含むモバイルルータ情報を検索し、検索したモバイルルータ情報を前記モバイルルータに返信する制御手段とを有し、前記モバイルルータは、自身のモバイルルータ情報として、自身のモバイルルータの識別情報と、自身のモバイルルータに搭載する移動通信端末の識別情報とを関連付けて登録するモバイルルータ情報テーブルと、前記モバイルルータ情報テーブルに登録した自身のモバイルルータ情報を制御通信により前記モバイルルータ情報管理サーバへ登録可能に通知し、通信先となる他のモバイルルータに対して通信する際、前記モバイルルータ情報管理サーバに前記他のモバイルルータの識別情報を含む問い合わせ情報を送信し、当該問い合わせ情報に応答して前記モバイルルータ情報管理サーバから返信されてくるモバイルルータ情報を受信し、当該モバイルルータ情報に含まれる前記他のモバイルルータに搭載する移動通信端末の識別情報に基づき前記他のモバイルルータとの通信を起動する制御手段とを有することを特徴とするモバイルルータネットワーク。
【０１５６】
（付記８）着脱可能な移動通信端末を搭載可能なモバイルルータとの間で通信可能なモバイルルータ情報管理サーバの通信方法であって、前記モバイルルータから通知される当該モバイルルータの識別情報と、当該モバイルルータに搭載する移動通信端末の識別情報とを有するモバイルルータ情報をモバイルルータ毎にモバイルルータ登録情報テーブルに登録し、前記モバイルルータからの通信先となる他のモバイルルータの識別情報を含む問い合わせ情報に応答して、当該他のモバイルルータの識別情報に基づいて、前記モバイルルータ登録情報テーブルから、当該他のモバイルルータに搭載する移動通信端末の識別情報を含むモバイルルータ情報を検索し、検索したモバイルルータ情報を前記モバイルルータに返信することを特徴とするモバイルルータ情報管理サーバの通信方法。
【０１５７】
（付記９）着脱可能な移動通信端末を搭載可能なモバイルルータの通信方法であって、自身のモバイルルータ情報として、自身のモバイルルータの識別情報と、自身のモバイルルータに搭載する移動通信端末の識別情報とを関連付けてモバイルルータ情報テーブルに登録し、前記モバイルルータ情報テーブルに登録した自身のモバイルルータ情報を制御通信によりモバイルルータ情報管理サーバへ登録可能に通知し、通信先となる他のモバイルルータに対して通信する際、前記モバイルルータ情報管理サーバに前記他のモバイルルータの識別情報を含む問い合わせ情報を送信し、当該問い合わせ情報に応答して前記モバイルルータ情報管理サーバから返信されてくるモバイルルータ情報を受信し、当該モバイルルータ情報に含まれる前記他のモバイルルータに搭載する移動通信端末の識別情報に基づき前記他のモバイルルータとの通信を起動することを特徴とするモバイルルータの通信方法。
【０１５８】
（付記１０）着脱可能な移動通信端末を搭載可能なモバイルルータと、前記モバイルルータとの間で通信可能なモバイルルータ情報管理サーバとを有するモバイルルータネットワークの通信方法であって、前記モバイルルータが、自身のモバイルルータ情報として、自身のモバイルルータの識別情報と、自身のモバイルルータに搭載する移動通信端末の識別情報とを関連付けてモバイルルータ情報テーブルに登録し、登録した自身のモバイルルータ情報を制御通信により前記モバイルルータ情報管理サーバへ登録可能に通知し、前記モバイルルータ情報管理サーバが、前記モバイルルータから通知される当該モバイルルータの識別情報と、当該モバイルルータに搭載する移動通信端末の識別情報とを有するモバイルルータ情報をモバイルルータ毎にモバイルルータ登録情報テーブルに登録し、前記モバイルルータが、通信先となる他のモバイルルータに対して通信する際、前記モバイルルータ情報管理サーバに前記他のモバイルルータの識別情報を含む問い合わせ情報を送信し、前記モバイルルータ情報管理サーバが、前記モバイルルータからの通信先となる他のモバイルルータの識別情報を含む問い合わせ情報に応答して、当該他のモバイルルータの識別情報に基づいて、前記モバイルルータ登録情報テーブルから、当該他のモバイルルータに搭載する移動通信端末の識別情報を含むモバイルルータ情報を検索し、検索したモバイルルータ情報を前記モバイルルータに返信し、前記モバイルルータが、前記問い合わせ情報に応答して前記モバイルルータ情報管理サーバから返信されてくるモバイルルータ情報を受信し、当該モバイルルータ情報に含まれる前記他のモバイルルータに搭載する移動通信端末の識別情報に基づき前記他のモバイルルータとの通信を起動することを特徴とするモバイルルータネットワークの通信方法。
【０１５９】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【産業上の利用可能性】
【０１６０】
以上説明したように、本発明は、ネットワーク接続が可能な装置に利用可能である。
【符号の説明】
【０１６１】
１００  広域ＩＰ網
１０１  回線交換網
１１０  管理サーバ（モバイルルータ情報管理サーバ）
１１１  モバイルルータＡ
１１２  モバイルルータＢ
１２０  通信端末（広域ＩＰ網用）
１２１  移動通信端末（広域ＩＰ網用）
１２２  移動通信端末（回線交換網用）
１３０  端末Ａ
１３１  端末Ｂ
２００  モバイルルータ情報テーブル
３００  登録先管理サーバ情報テーブル
４００  モバイルルータ登録情報テーブル
５００  通信先モバイルルータ情報テーブル
６１０  デバイス制御部
６２０  ＴＣＰ／ＩＰ
６３０  データ制御部
６３１  パケット解析部
６３２  パケット生成部
６４０  データ記憶部
６５０  設定部
６６０  タイマ部
６７０  クライアント制御部
６８０  モバイルＩＰ制御部
７１０  デバイス制御部
７２０  ＴＣＰ／ＩＰ
７３０  パケット解析部
７３１  パケット生成部
７４０  データ記憶部
７５０  タイマ部
７６０  サーバ制御部
【図１】
0005621510.tif 000002
【図２】
0005621510.tif 000003
【図３】
0005621510.tif 000004
【図４】
0005621510.tif 000005
【図５】
0005621510.tif 000006
【図６】
0005621510.tif 000007
【図７】
0005621510.tif 000008
【図８】
0005621510.tif 000009
【図９】
0005621510.tif 000010
【図１０】
0005621510.tif 000011
【図１１】
0005621510.tif 000012
【図１２】
0005621510.tif 000013
【図１３】
0005621510.tif 000014
【図１４】
0005621510.tif 000015
【図１５】
0005621510.tif 000016
【図１６】
0005621510.tif 000017